(57)【要約】【課題】  炭を追加する際に、焼き網や鉄板を取り外す必要がなく、火傷の危険が少ないバーベキューグリルとする。【解決手段】  グリル本体１００と、このグリル本体１００に着脱自在に取り付けられる平面視略矩形状の少なくとも上面が開放された炭受け部２００とを備えており、前記炭受け部２００の対向する縁部にはフランジ部２１０が設けられており、前記グリル本体１００には前記フランジ部２１０が係止されるガイド部１３０が設けられており、前記炭受け部２００はガイド部１３０に沿ってスライド可能になっている。【選択図】      図１
2010012040.tif 000002
【特許請求の範囲】
【請求項１】
グリル本体と、このグリル本体に着脱自在に取り付けられる平面視略矩形状の少なくとも上面が開放された炭受け部とを具備しており、前記炭受け部の対向する縁部にはフランジ部が設けられており、前記グリル本体には前記フランジ部が係止されるガイド部が設けられており、前記炭受け部はガイド部に沿ってスライド可能になっていることを特徴とするバーベキューグリル。
【請求項２】
前記炭受け部とグリル本体との間には、炭受け部をガイド部に沿ってスライドさせた際にスライドを阻止する安全手段が設けられていることを特徴とする請求項１記載のバーベキューグリル。
【請求項３】
前記ガイド部には、係止された炭受け部の底面の下方に一定の間隔をあけて底面の全体に対向する遮熱部が延設されていることを特徴とする請求項１又は２記載のバーベキューグリル。
【請求項４】
前記遮熱部には水を溜めることができる土手部が形成されていることを特徴とする請求項３記載のバーベキューグリル。
【請求項５】
前記グリル本体の脚部は、長さを変更することができることを特徴とする請求項１、２、３又は４記載のバーベキューグリル。
【発明の詳細な説明】
【技術分野】
【０００１】
本発明は、アウトドアで使用するバーベキューグリルに関する。
【背景技術】
【０００２】
この種のバーベキューグリルには、『少なくとも上面部が開放された炭受け部と、この炭受け部が取り付けられるフレームとを具備しており、前記炭受け部は、炭受け部の縁部に形成された下向きの受け溝にフレームの一部が嵌まり込むことでフレームに取り付けられることを特徴とするバーベキューグリル』（特開２００３−６１８３２）がある。
【０００３】
【特許文献１】特開２００３−６１８３２
【発明の開示】
【発明が解決しようとする課題】
【０００４】
この種のバーベキューグリルでは、フレームに炭受け部をカバーするようにして焼き網や鉄板が重ねられる。このため、炭を追加する場合には、一旦、焼き網や鉄板をフレールから取り外す必要があった。
しかしながら、焼き網や鉄板は加熱されているため非常に熱く、その上には肉や野菜等の食材が載っているので、炭の追加は火傷の危険を伴う作業であった。
【０００５】
本発明は、上記事情に鑑みて創案されたもので、炭を追加する際に、焼き網や鉄板を取り外す必要がなく、火傷の危険が少ないバーベキューグリルを提供することを目的としている。
【課題を解決するための手段】
【０００６】
本発明に係るバーベキューグリルは、グリル本体と、このグリル本体に着脱自在に取り付けられる平面視略矩形状の少なくとも上面が開放された炭受け部とを備えており、前記炭受け部の対向する縁部にはフランジ部が設けられており、前記グリル本体には前記フランジ部が係止されるガイド部が設けられており、前記炭受け部はガイド部に沿ってスライド可能になっている。
【０００７】
前記ガイド部には、係止された炭受け部の底面の下方に一定の間隔をあけて底面の全体に対向する遮熱部が延設されている。
【０００８】
また、前記遮熱部には水を溜めることができる土手部が形成されている。
【０００９】
さらに、前記グリル本体の脚部は、長さを変更することができるようになっている。
【発明の効果】
【００１０】
本発明に係るバーベキューグリルは、炭受け部をグリル本体からスライドして引き出すことができるようになっているので、使用中に焼き網や鉄板を取り外すことなく炭を追加することができるので、炭の追加を簡単かつ安全に行うことができる。
【発明を実施するための最良の形態】
【００１１】
図１は本発明の第１の実施の形態に係るバーベキューグリルの概略的分解斜視図、図２は本発明の第１の実施の形態に係るバーベキューグリルの概略的側面図、図３は本発明の第２の実施の形態に係るバーベキューグリルの概略的側面図、図４は本発明の第３の実施の形態に係るバーベキューグリルの概略的側面図である。
【００１２】
本発明の第１の実施の形態に係るバーベキューグリルＡは、グリル本体１００と、このグリル本体１００に着脱自在に取り付けられる平面視略矩形状の少なくとも上面が開放された炭受け部２００とを備えており、前記炭受け部２００の対向する縁部にはフランジ部２１０が設けられており、前記グリル本体１００には前記フランジ部２１０が係止されるガイド部１３０が設けられており、前記炭受け部２００はガイド部１３０に沿ってスライド可能になっている。
【００１３】
前記グリル本体１００は、パイプ材を折曲、接続して構成した略ロ自字形状のベース部１１０と、パイプ材を折曲、接続して構成した略凹字形状の２つの脚部１２０と、金属板材を折曲、接続して構成した一対のガイド部１３０を有している。
【００１４】
前記ベース部１１０は、パイプ材を折曲した２つの略凹字形状のベース凹字部材１１１と、このベース凹字部材１１１を接続する２本のパイプ材からなるベース中間部材１１２とから構成されている（なお、図１ではベース中間部材１１２は１本のみ見えている）。これらを接続することでロ字形状のベース部１１０が構成されるのである。ベース凹字部材１１１はベース部１１０の短辺を、ベース中間部材１１２はベース部１１０の長辺をそれぞれ形作っている。
【００１５】
また、前記脚部１２０は、パイプ材を折曲した略凹字形状の脚部凹字部材１２１と、この脚部凹字部材１２１の終端に接続されるパイプ材からなる脚部連結部材１２２とを有している。前記脚部凹字部材１２１が、ベース部材１１０とボルト等で連結されることで、ベース部材１１０に脚部１２０が取り付けられるのである。前記脚部凹字部材１２１は、ベース部１１０の長辺より若干長く設定されている。
【００１６】
脚部連結部材１２２は、バーベキューグリルＡの高さを調節するものであって、図１に示すものは使用者が立った状態で使用するタイプであり、２本４組の合計８本の脚部連結部材１２２が使用されている。脚部連結部材１１２を使用しない場合、すなわち脚部凹字部材のみで脚部１２０とする場合は、バーベキューグリルＡをテーブルの上に載置して使用する場合である。
【００１７】
前記ガイド部１３０は、帯状の金属板材を長手方向に折曲して、略樋状としたものである。このガイド部１３０は、上辺部１３１と下辺部１３２とが中間部１３３によって連結されて、端面から見ると略コ字形状に形成されている。なお、中間部１３３の幅寸法は、ベース部１１０を構成するパイプ材の太さ寸法より大きく設定されている。
【００１８】
かかるガイド部１３０は、上辺部１３１が、脚部１２０の脚部凹字部材１２１と、ベース部材１１０の長辺との間に挟まれた状態でグリル本体１００に取り付けられる。この状態でグリル本体１００と脚部凹字部材１２１とがボルト１４０によって連結される。ガイド部１３０の中間部１３３の幅寸法は、ベース部１１０を構成するパイプ材の太さ寸法より大きく設定されているので、ガイド部１３０の下辺部１３２とベース部１１０との間には隙間が形成される。
【００１９】
一方、炭受け部２００は、金属板材を折曲、接続して平面視略矩形状の薄皿状に形成したものであって、両側面２２０は逆台形状に形成されている。このため、正面側及び背面側は、下り傾斜面となっている。正面の上縁部及び背面の上縁部、すなわち対向する縁部にはフランジ部２１０が設けられている。このフランジ部２１０が、前記ガイド部１３０に係止されることによって、炭受け部２００がスライド可能にグリル本体１００に取り付けられる。
【００２０】
なお、この炭受け部２００には、底面部２３０から若干浮くようになった金属製のロストル（図示省略）が設けられている。このロストルは炭が載置されるものであって、炭が燃えた灰を炭受け部２００の底面部２３０に落とすためのものである。
【００２１】
また、この炭受け部２００のほぼ中央部には、安全手段１５０の一部を構成するガード棒１５１が立設されている。このガード棒１５１は、炭受け部２００をガイド部１３０に係止させると、その先端は鉄板３００には届かないが、ベース部１１０よりは上方に位置するような長さに設定されている。
【００２２】
炭受け部２００をスライドさせて引き出すと、ガード棒１５１がベース部１１０のベース凹字部材１１１に接触し、スライドを中断させる。このため、炭受け部２００を引き出しすぎて落下するという事故を未然に防止することができる。
【００２３】
なお、使用後の洗浄等のために炭受け部２００をガイド部１３０から完全に引き出すには、炭受け部２００を引き出しながら斜め上方向に傾けて、ガード棒１５１とベース凹字部材１１１との接触を回避させることで行う。
【００２４】
グリル本体１００の脚部凹字部材１２１の上には、食材を載せるための鉄板３００が載置される。なお、この鉄板３００の周縁部には、前記ボルト１４０が嵌まり込む４つの位置決め用の開口３１０が開設されている。
【００２５】
バーベキューを行っている間に炭を追加する場合には、炭受け部２００をガイド部１３０に沿ってスライドさせ、鉄板３００の下から引き出す。この状態で炭を追加する。炭が追加できたならば、炭受け部２００を元の位置、すなわち鉄板３００の下にスライドして戻す。
【００２６】
かかるバーベキューグリルＡであると、上述のように炭受け部２００をスライドさせることができるので、炭の追加を簡単かつ安全に行うことができる。
【００２７】
次に、本発明の第２の実施の形態に係るバーベキューグリルＢを図３を参照しつつ説明する。
このバーベキューグリルＢは、上述した第１の実施の形態に係るバーベキューグリルＡのガイド部１３０から遮熱部１３５が延設されたものである。
【００２８】
このバーベキューグリルＢのガイド部１３０は、中間部１３３の幅寸法が大きく、しかも途中に炭受け部２００のフランジ部２１０を受ける中間受部１３４が設けられている。しかも中間受部１３４の下側には、中間受部１３４に受けられた炭受け部２００の底面部２３０と一定の間隔をあけて位置し、底面部２３０の全面を下側でカバーする遮熱部１３５が設けられている。
【００２９】
すなわち、このバーベキューグリルＢにおけるガイド部１３０は、第１の実施の形態に係るバーベキューグリルＡにおけるそれとは違って、１つの部材として構成されているのである。
【００３０】
このように炭受け部２００の底面部２３０の全面を下側でカバーする遮熱部１３５が設けられていると、炭受け部２００の底面部１３５の露出の度合いが少なくなるので、悌面部１３５に触れて火傷をする危険性を少なくすることができる。
【００３１】
また、図４に示す本発明の第３の実施の形態に係るバーベキューグリルＣのように、遮熱部１３５にプレス成形等で土手部１３６を形成し、その内側を水溜部１３７として水をはることができるようにすることでより安全性を高めることができる。
【００３２】
なお、上述した第１から第３の実施の形態に係るバーベキューグリルＡ、Ｂ、Ｃでは、グリル本体１００はベース部材１１０の上側に脚部１２０の脚部凹字部材１２１が位置するとして説明したが、逆に脚部１２０の脚部凹字部材１２１の上側にベース部材１１０が位置するようにすることも可能である。
【００３３】
また、グリル本体１００を構成するベース部材１１０や脚部１２０は、パイプ材を折曲、接続等して構成するものとしたが、全体を板材から構成してもよいし、パイプ材と板材とを混合して構成してもよい。
【００３４】
さらに、安全手段１５０は、炭受け部２００に立設されたガード棒１５１と、このガード棒１５１と接触するグリル本体１００のベース部１１０の脚部凹字部材１２１とで構成するとしたが、これに限定されるものではない。逆にベース部１１０からガード棒に類するものを垂下させて、炭受け部２００の側面２２０に接触させるようにしてもよい。
【００３５】
また、ガイド部１３０の下辺部１３２と炭受け部２００のフランジ部２１０との間に凹凸を形成することで構成してもよい。なお、バーベキューグリルＢやバーベキューグリルＣであると、フランジ部２１０が載置されるガイド部１３０の中間受部１３４との間に凹凸を形成するようにすればよい。
【図面の簡単な説明】
【００３６】
【図１】本発明の第１の実施の形態に係るバーベキューグリルの概略的分解斜視図である。
【図２】本発明の第１の実施の形態に係るバーベキューグリルの概略的側面図である。
【図３】本発明の第２の実施の形態に係るバーベキューグリルの概略的側面図である。
【図４】本発明の第３の実施の形態に係るバーベキューグリルの概略的側面図である。
【符号の説明】
【００３７】
１００    グリル本体
１１０    ベース部
１２０    脚部
１３０    ガイド部
２００    炭受け部
２１０    フランジ部
【図１】
2010012040.tif 000003
【図２】
2010012040.tif 000004
【図３】
2010012040.tif 000005
【図４】
2010012040.tif 000006
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
グリル本体と、このグリル本体に着脱自在に取り付けられる平面視略矩形状の少なくとも上面が開放された炭受け部とを具備しており、前記炭受け部の対向する縁部にはフランジ部が設けられており、前記グリル本体には前記フランジ部が係止されるガイド部が設けられており、前記グリル本体には前記フランジ部が係止されるガイド部が設けられており、前記炭受け部はガイド部に沿ってスライド可能になっており、前記炭受け部とグリル本体との間には、炭受け部をガイド部に沿ってスライドさせた際にスライドを阻止する安全手段が設けられており、前記安全手段は、グリル本体に設けられたパイプ材を折曲、接続して構成したベース部と、炭受け部に立設されたガード棒とからなり、前記ガード棒は、炭受け部をグリル本体に取り付けると、先端が前記ベース部より上方に位置することを特徴とするバーベキューグリル。
【請求項２】
グリル本体と、このグリル本体に着脱自在に取り付けられる平面視略矩形状の少なくとも上面が開放された炭受け部とを具備しており、前記炭受け部の対向する縁部にはフランジ部が設けられており、前記グリル本体には前記フランジ部が係止されるガイド部が設けられており、前記グリル本体には前記フランジ部が係止されるガイド部が設けられており、前記炭受け部はガイド部に沿ってスライド可能になっており、前記炭受け部とグリル本体との間には、炭受け部をガイド部に沿ってスライドさせた際にスライドを阻止する安全手段が設けられており、前記安全手段は、グリル本体に設けられたパイプ材を折曲、接続して構成したベース部と、このベース部から垂下されたガード棒とからなり、前記ガード棒は、炭受け部をスライドさせると、炭受け部の側面に接触することを特徴とするバーベキューグリル。
【請求項３】
前記ガイド部には、係止された炭受け部の底面の下方に一定の間隔をあけて底面の全体に対向する遮熱部が延設されていることを特徴とする請求項１又は２記載のバーベキューグリル。
【請求項４】
前記遮熱部には水を溜めることができる土手部が形成されていることを特徴とする請求項３記載のバーベキューグリル。
【請求項５】
前記グリル本体の脚部は、長さを変更することができることを特徴とする請求項１、２、３又は４記載のバーベキューグリル。
【手続補正２】
【補正対象書類名】明細書
【補正対象項目名】０００６
【補正方法】変更
【補正の内容】
【０００６】
本発明に係るバーベキューグリルは、グリル本体と、このグリル本体に着脱自在に取り付けられる平面視略矩形状の少なくとも上面が開放された炭受け部とを備えており、前記炭受け部の対向する縁部にはフランジ部が設けられており、前記グリル本体には前記フランジ部が係止されるガイド部が設けられており、前記グリル本体には前記フランジ部が係止されるガイド部が設けられており、前記炭受け部はガイド部に沿ってスライド可能になっており、前記炭受け部とグリル本体との間には、炭受け部をガイド部に沿ってスライドさせた際にスライドを阻止する安全手段が設けられており、前記安全手段は、グリル本体に設けられたパイプ材を折曲、接続して構成したベース部と、炭受け部に立設されたガード棒とからなり、前記ガード棒は、炭受け部をグリル本体に取り付けると、先端が前記ベース部より上方に位置するようになっている。
【手続補正３】
【補正対象書類名】明細書
【補正対象項目名】０００４
【補正方法】変更
【補正の内容】
【０００４】
この種のバーベキューグリルでは、フレームに炭受け部をカバーするようにして焼き網や鉄板が重ねられる。このため、炭を追加する場合には、一旦、焼き網や鉄板をフレームから取り外す必要があった。
しかしながら、焼き網や鉄板は加熱されているため非常に熱く、その上には肉や野菜等の食材が載っているので、炭の追加は火傷の危険を伴う作業であった。
【手続補正４】
【補正対象書類名】明細書
【補正対象項目名】００１３
【補正方法】変更
【補正の内容】
【００１３】
前記グリル本体１００は、パイプ材を折曲、接続して構成した略ロ字形状のベース部１１０と、パイプ材を折曲、接続して構成した略凹字形状の２つの脚部１２０と、金属板材を折曲、接続して構成した一対のガイド部１３０を有している。
【手続補正５】
【補正対象書類名】明細書
【補正対象項目名】００３０
【補正方法】変更
【補正の内容】
【００３０】
このように炭受け部２００の底面部２３０の前面を下側でカバーする遮熱部１３５が設けられていると、炭受け部２００の底面部２３０の露出の度合いが少なくなるので、底面部２３０に触れて火傷をする危険性を少なくすることができる。
【手続補正６】
【補正対象書類名】明細書
【補正対象項目名】００３２
【補正方法】変更
【補正の内容】
【００３２】
なお、上述した第１から第３の実施の形態に係るバーベキューグリルＡ、Ｂ、Ｃでは、グリル本体１００はベース部１１０の上側に脚部１２０の脚部凹字部材１２１が位置するとして説明したが、逆に脚部１２０の脚部凹字部材１２１の上側にベース部１１０が位置するようにすることも可能である。
【手続補正７】
【補正対象書類名】明細書
【補正対象項目名】００３３
【補正方法】変更
【補正の内容】
【００３３】
また、グリル本体１００を構成するベース部１１０や脚部１２０は、パイプ材を折曲、接続等して構成するものとしたが、全体を板材から構成してもよいし、パイプ材と板材とを混合して構成してもよい。